(57)【特許請求の範囲】
【請求項１】
筆記具本体のペン先側にキャップを装着した状態でキャップ開口端の外周部が、キャップ開口端後方の筆記具本体の外周部より径方向外方に突出した筆記具であって、筆記具本体の外周面に環状のガイド突起を形成し、筆記具本体のペン先側にキャップを装着した状態において、前記ガイド突起がキャップ開口端後方且つキャップ開口端近傍に位置し、前記ガイド突起の頂部とキャップ開口端の外周縁部との径方向の差を、１ｍｍ以下に設定したことを特徴とする筆記具。
【請求項２】
キャップ開口端の外周部に環状傾斜面を形成し、筆記具本体のペン先側にキャップを装着した状態において、前記ガイド突起の頂部と前記環状傾斜面の後端との径方向の差を、０．６ｍｍ以下に設定した請求項1記載の筆記具。
【請求項３】
ガイド突起の前面及び後面に、テーパ面またはＲ曲面を設けた請求項１または２記載の筆記具。
【発明の詳細な説明】
【技術分野】
【０００１】
本発明は、筆記具本体のペン先側にキャップ装着可能に構成した筆記具に関する。
【背景技術】
【０００２】
特許文献１には、キャップの開口端の外周部が、キャップ開口端後方の筆記具本体の外周部より径方向外方に突出した筆記具が開示されている。
【０００３】
【特許文献１】実開平２−２２８８７号公報
【発明の開示】
【発明が解決しようとする課題】
【０００４】
前記従来の筆記具において、上方に開口した開口部を備えた陳列ケース等に筆記具を縦置き状態で収納する場合、通常、前記陳列ケース等の開口部に、ペン先側にキャップが装着された状態の筆記具を、キャップ側を上向きにし、筆記具の尾端側を下向きにして挿入される。その際、陳列ケース等の開口部に筆記具を落下投入すると、キャップの開口端が陳列ケース等の開口端に衝突し、キャップが筆記具本体のペン先側より外れることがある。もし、キャップがペン先側より外れた状態で陳列ケース等に保管されると、インキがペン先より蒸発したり、ペン先から空気が浸入して筆記不良となるおそれがある。
【０００５】
本発明は、前記従来の問題点を解決するものであって、陳列ケース等の開口部に落下投入しても、キャップがペン先側より外れることを回避できる筆記具を提供しようとするものである。尚、本発明で「前」とはペン先側を指し、「後」とはその反対側を指す。
【課題を解決するための手段】
【０００６】
本発明は、筆記具本体２のペン先側にキャップ４を装着した状態でキャップ４開口端の外周部が、キャップ４開口端後方の筆記具本体２の外周部より径方向外方に突出した筆記具であって、筆記具本体２の外周面に環状のガイド突起３を形成し、筆記具本体２のペン先側にキャップ４を装着した状態において、前記ガイド突起３がキャップ４開口端後方且つキャップ４開口端近傍に位置し、前記ガイド突起３の頂部とキャップ４開口端の外周縁部との径方向の差Ｄを、１ｍｍ以下（好ましくは０．６ｍｍ以下）に設定したこと（構成１）を要件とする。
【０００７】
前記構成１の筆記具１は、前記ガイド突起３の頂部とキャップ４開口端の外周縁部との径方向の差Ｄを１ｍｍ以下（好ましくは０．６ｍｍ以下）に設定したことにより、キャップ４をペン先側に装着した状態でキャップ４側を上向きにして陳列ケース等の開口部に落下投入しても、キャップ４開口端が陳列ケース等の開口端に衝突することを回避できる。その結果、キャップ４がペン先側より外れることを防止できる。
【０００８】
また、前記構成１の筆記具１において、キャップ４開口端の外周部に環状傾斜面４１を形成し、筆記具本体２のペン先側にキャップ４を装着した状態において、前記ガイド突起３の頂部と前記環状傾斜面４１の後端との径方向の差Ｄを、０．６ｍｍ以下に設定したこと（構成２）が好ましい。
【０００９】
前記構成２の筆記具１は、前記ガイド突起３の頂部と前記環状傾斜面４１の後端との径方向の差Ｄを、０．６ｍｍ以下に設定したことによって、キャップ４をペン先側に装着した状態でキャップ４側を上向きにして陳列ケース等の開口部に落下投入しても、キャップ４開口端が陳列ケース等の開口端に衝突することを、より一層、回避できる。その結果、キャップ４がペン先側より外れることを、一層防止できる。
【００１０】
また、前記構成１または２の筆記具１において、ガイド突起３の前面３１及び後面３２に、テーパ面またはＲ曲面を設けたこと（構成３）が好ましい。
【００１１】
前記構成３の筆記具１は、ユーザーが筆記使用時に筆記具本体２を手で把持したときに、ガイド突起３が手に当たっても手に痛みを感じない。
【００１２】
【００１３】
【発明の効果】
【００１４】
本発明筆記具は、構成１により、陳列ケース等の開口部に落下投入しても、キャップがペン先側より外れることを防止できる。
【００１５】
本発明筆記具は、構成２により、陳列ケース等の開口部に落下投入しても、キャップがペン先側より外れることを、一層防止できる。
【００１６】
本発明筆記具は、構成３により、ユーザーが筆記使用時に筆記具本体を手で把持したときに、ガイド突起が手に当たっても手に痛みを感じない。
【００１７】
【発明を実施するための最良の形態】
【００１８】
（第１の実施の形態）
図１及び図２に本発明の実施の形態を示す。
本実施の形態の筆記具１は、筆記具本体２と、該筆記具本体２のペン先側に装着可能なキャップ４とからなる。
【００１９】
キャップ４は一端が閉鎖され且つ他端が開口された筒体である。外面にクリップが突設される。前記キャップ４内に筆記具本体２のペン先側が装着される。前記キャップ４装着構造は、例えば、キャップ４の内周面の内向突起と筆記具本体２の外周面の外向突起とが乗り越え嵌合する構造、または、前記キャップ４の内周面と筆記具本体２の外周面とが圧接嵌合する構造が挙げられる。
【００２０】
筆記具本体２の外周面には環状のガイド突起３が形成される。前記ガイド突起３は、キャップ４をペン先側に装着した状態において、キャップ４開口端後方且つキャップ４開口端近傍に位置される。尚、本実施の形態では、前記ガイド突起３は、完全に連続した環状の突起が採用されている。これ以外にも、本発明のガイド突起３は、一部に切り欠き部を有する環状の突起、環状に分散された複数個の突起であってもよい。  
【００２１】
キャップ４をペン先側に装着した状態において、キャップ４開口端の外周縁部がガイド突起３の頂部より径方向外方に突出し、前記ガイド突起３の頂部とキャップ４開口端の外周縁部との径方向の差Ｄが、０．５ｍｍに設定される。それにより、キャップ４をペン先側に装着した状態でキャップ４側を上向きにして陳列ケース等の開口部に落下投入しても、キャップ４開口端の垂直面が陳列ケース等の開口端に衝突することを回避でき、その結果、キャップ４がペン先側より外れることを防止できる。
【００２２】
前記ガイド突起３の前面３１にはＲ曲面が設けられ、前記ガイド突起３の後面３２にはテーパ面が設けられる。それにより、筆記使用時、筆記具本体２を把持した際に、ガイド突起３に手が当たっても手に痛みを与えない。尚、前記ガイド突起３の前面３１は、テーパ面であってもよく、また、前記ガイド突起３の後面３２は、Ｒ曲面であってもよい。
【００２３】
ペン先側にキャップ４を装着した状態において、前記ガイド突起３の後面３２のテーパ面の角度は、テーパ面に沿って描いた延長線が、キャップ４開口端の外周縁部より後方を通過し、キャップ４開口端に接触しないよう設定される。それにより、陳列ケース等の開口部に落下投入した際、陳列ケース等の開口端がガイド突起３のテーパ面に衝突しても、テーパ面により筆記具１が案内されるため、キャップ４開口端の外周縁部が陳列ケース等の開口端に衝突することを、より一層回避できる。
【００２４】
（第２の実施の形態）
図３及び図４に本発明の実施の形態を示す。
本実施の形態の筆記具１は、筆記具本体２と、該筆記具本体２のペン先側に装着可能なキャップ４とからなる。
【００２５】
キャップ４は一端が閉鎖され且つ他端が開口された筒体である。外面にクリップが突設される。前記キャップ４内に筆記具本体２のペン先側が装着される。前記キャップ装着構造は、例えば、キャップ４の内周面の内向突起と筆記具本体２の外周面の外向突起とが乗り越え嵌合する構造、または、前記キャップ４の内周面と筆記具本体２の外周面とが圧接嵌合する構造が挙げられる。
【００２６】
前記キャップ４の開口端の外周部にはテーパ面よりなる環状傾斜面４１が形成される。本実施の形態では、前記環状傾斜面４１は、テーパ面が採用されているが、これ以外にも、Ｒ曲面であってもよい。
【００２７】
筆記具本体２の外周面には、第１の実施の形態と同様の環状のガイド突起３が形成される。前記ガイド突起３は、キャップ４をペン先側に装着した状態において、キャップ４開口端後方且つキャップ４開口端近傍に位置される。  
【００２８】
キャップ４をペン先側に装着した状態において、キャップ４開口端の外周縁部がガイド突起３の頂部より径方向外方に突出し、前記ガイド突起３の頂部と環状傾斜面４１の後端（即ちキャップ４開口端の外周縁部）との径方向の差Ｄが、０．１ｍｍに設定される。それにより、キャップ４をペン先側に装着した状態でキャップ４側を上向きにして陳列ケース等の開口部に落下投入しても、キャップ４開口端の垂直面が陳列ケース等の開口端に衝突することを回避でき、その結果、キャップ４がペン先側より外れることを防止できる。
【００２９】
前記ガイド突起３の前面３１にはＲ曲面が設けられ、前記ガイド突起３の後面３２にはテーパ面が設けられる。それにより、筆記使用時、筆記具本体２を把持した際に、ガイド突起３に手が当たっても手に痛みを与えない。尚、前記ガイド突起３の前面３１は、テーパ面であってもよく、また、前記ガイド突起３の後面３２は、Ｒ曲面であってもよい。
【００３０】
ペン先側にキャップ４を装着した状態において、前記ガイド突起３の後面３２のテーパ面の角度は、テーパ面に沿って描いた延長線が、キャップ４開口端の外周縁部より後方を通過し、キャップ４開口端に接触しないよう設定される。それにより、陳列ケース等の開口部に落下投入した際、陳列ケース等の開口端がガイド突起３のテーパ面に衝突しても、テーパ面により筆記具１が案内されるため、キャップ４開口端の外周縁部が陳列ケース等の開口端に衝突することを、より一層回避できる。
【００３１】
【００３２】
【００３３】
【００３４】
【図面の簡単な説明】
【００３５】
【図１】本発明の筆記具の第１の実施の形態のペン先側にキャップを装着した状態を示す全体図である。
【図２】図１のＡ部拡大縦断面図である。
【図３】本発明の筆記具の第２の実施の形態のペン先側にキャップを装着した状態を示す全体図である。
【図４】図３のＢ部拡大縦断面図である。
【符号の説明】
【００３６】
１  筆記具
２  筆記具本体
３  ガイド突起
３１  前面
３２  後面
４  キャップ
４１  環状傾斜面
【図１】
0004848065.tif 000002
【図２】
0004848065.tif 000003
【図３】
0004848065.tif 000004
【図４】
0004848065.tif 000005